(57)【要約】      （修正有）【課題】均一な棒状光源を生じさせることができる発光ダイオード照明モジュールを提供する。【解決手段】発光ダイオード照明モジュールは、棒状導光ユニット１ａ、棒状反射ユニット２ａ及び発光ユニット３ａを備える。前記棒状導光ユニット１ａは、導光本体１０ａ及び前記導光本体頂端に形成される複数の第一導光微細構造１１ａを有し、その内、各第一導光微細構造は第一反射率を有する。前記棒状反射ユニットは、前記導光本体に対応する反射本体２０ａ及び前記反射本体内表面に形成される反射層を有し、その内前記棒状反射ユニットは前記導光本体の一部を覆い、前記複数の第一導光微細構造は前記導光本体と前記反射層の間に位置し、且つ前記反射層は前記第一反射率と異なる第二反射率を有する。前記発光ユニットは、前記導光本体の一側端に設置される第一発光モジュール３０ａを有する。【選択図】図２Ａ
0003161024.tif 000002
【実用新案登録請求の範囲】
【請求項１】
導光本体及び前記導光本体上に形成される複数の第一導光微細構造を有し、且つ前記導光本体は少なくとも二つの第一係止部を有し、その内、各第一導光微細構造は第一反射率を有する、棒状導光ユニットと、
前記導光本体に対応する反射本体及び前記反射本体内表面に形成される反射層を有し、その内、前記棒状反射ユニットは前記導光本体の一部分を覆い、前記複数の第一導光微細構造は前記導光本体と前記反射層の間に位置し、且つ前記反射層は前記第一反射率と異なる第二反射率を有する、棒状反射ユニットと、
少なくとも一つの固定フレーム本体及び前記固定フレーム本体から下に延びる少なくとも二つの第二係止部を有し、前記少なくとも二つの第一係止部と前記二つの第二係止部の組合せにより前記固定フレームユニットに対応する前記棒状導光ユニットの位置を定めることができる、固定フレームユニットと、
前記導光本体内の短い側辺又は長い側辺の脇に設置される第一発光モジュールを有する発光ユニットとを含むことを特徴とする、均一な棒状光源を生じさせることができる発光ダイオード照明装置。
【請求項２】
前記複数の第一導光微細構造は、後続成形又は一体成型により前記導光本体頂端に設置される複数の凸点状導光微細構造であり、且つ前記複数の凸点状導光微細構造は互い違いに設置されることを特徴とする、請求項１に記載の均一な棒状光源を生じさせることができる発光ダイオード照明装置。
【請求項３】
前記複数の第一導光微細構造は、後続成形又は一体成型により前記導光本体頂端に設置される複数の凸棒状導光微細構造であり、且つ前記複数の凸棒状導光微細構造は互いに平行であることを特徴とする、請求項１に記載の均一な棒状光源を生じさせることができる発光ダイオード照明装置。
【請求項４】
前記複数の第一導光微細構造は前記導光本体の頂端から突出することを特徴とする、請求項１に記載の均一な棒状光源を生じさせることができる発光ダイオード照明装置。
【請求項５】
前記導光本体の頂端は複数の微細凸部を有し、且つ前記複数の第一導光微細構造は前記複数の微細凸部上にそれぞれ設置されることを特徴とする、請求項１に記載の均一な棒状光源を生じさせることができる発光ダイオード照明装置。
【請求項６】
前記棒状導光ユニットは前記導光本体底端に形成される複数の第二導光微細構造を有し、且つ前記複数の第二導光微細構造は、前記導光本体の底端から突出又は中へ窪むことを特徴とする、請求項１に記載の均一な棒状光源を生じさせることができる発光ダイオード照明装置。
【請求項７】
導光本体及び前記導光本体上に形成される複数の第一導光微細構造を有し、その内各第一導光微細構造は第一反射率を有する、棒状導光ユニットと、
前記導光本体に対応する反射本体及び前記反射本体内表面に形成される反射層を有し、その内前記棒状反射ユニットは前記導光本体の一部分を覆い、前記複数の第一導光微細構造は前記導光本体と前記反射層の間に位置し、且つ前記反射層は前記第一反射率と異なる第二反射率を有する棒状反射ユニットと、
前記導光本体内の短い側辺又は長い側辺の脇に設置される第一発光モジュールを有する発光ユニットとを含むことを特徴とする、均一な棒状光源を生じさせることができる発光ダイオード照明モジュール。
【請求項８】
前記棒状導光ユニットは前記導光本体底端に形成される複数の第二導光微細構造を有し、且つ前記複数の第二導光微細構造は、前記導光本体の底端から突出又は中へ窪むことを特徴とする、請求項７に記載の均一な棒状光源を生じさせることができる発光ダイオード照明モジュール。
【考案の詳細な説明】
【技術分野】
【０００１】
本考案は発光ダイオード照明装置及び発光ダイオード照明モジュールに関し、特に均一な棒状光源を生じさせることができる発光ダイオード照明装置及発光ダイオード照明モジュールに関する。
【背景技術】
【０００２】
従来のＬＥＤ蛍光灯は、図１Ａに示すように、回路基板１及び前記回路基板１上に直列で電気的に設置された複数の発光ダイオード２を備え、前記複数の発光ダイオード２が発光することにより、蛍光灯に似た発光効果を持たらせている。しかしながら、前記複数の発光ダイオード２は互いに間隔を置いて設置されているため、生じる光源が均等でない状況となっている。具体的に述べると、各発光ダイオード２の真下の領域の光源は比較的強い（破線に示す位置）が、各二つの発光ダイオード２の間の領域は比較的弱い光源となる。また、前記複数の発光ダイオード２は非常に強い投射光束を生じさせるため、ＬＥＤ蛍光灯を直視することができず、使用者にとって不便である。
【０００３】
「従来のＬＥＤ蛍光灯は光源が均一ではない」及び「使用者がＬＥＤ蛍光灯を直視できない」という問題を解決するため、前記複数の発光ダイオード２の下方に透光カバー（図示せず）を設置することで、光源の混合と光源の強度の引き下げを行ったものがある。しかしながら、このやり方では発光ダイオード２が提供する光源の性能を大幅に低下させる事となる。
【０００４】
また、図１Ｂ及び図１Ｃに示すように、従来の発光ダイオードモジュールは、導光棒３及び前記導光棒の側辺に発光ダイオード４を備える。前記発光ダイオード４から生じる光束Ｌは前記導光棒３に向かって投射され、光前記導光棒３の誘導により、下向きに投光される。しかしながら、光前記導光棒３の誘導により投光される領域は、図１Ｃに示すＡとなり（破線で表示）、より広い範囲に照射することができなくなる。
【考案の概要】
【考案が解決しようとする課題】
【０００５】
本考案は上記に鑑みてなされたものであり、均一な棒状光源を生じさせることができる発光ダイオード照明装置及び発光ダイオード照明モジュールを提供することを目的とする。本考案は、異なる反射率を有する導光材料及び反射材料を使用し、発光ダイオードから生じる光束を誘導並びに反射させる事により、使用者の目に不快感を与えるようなまぶしさがなく、且つ均一な棒状光源を提供することができる。
【課題を解決するための手段】
【０００６】
上記目的を達成する為に、本考案は、棒状導光ユニット、棒状反射ユニット、固定フレームユニット及び発光ユニットで構成され、前記棒状導光ユニットは導光本体及び前記導光本体頂端に形成される複数の第一導光微細構造を有し、且つ前記導光本体は少なくとも二つの第一係止部を有する。各第一導光微細構造は第一反射率を具える。前記棒状反射ユニットは前記導光本体に対応する反射本体及び前記反射本体内表面に形成される反射層を有し、前記棒状反射ユニットは前記導光本体の一部分を覆い、前記複数の第一導光微細構造は前記導光本体と前記反射層の間に位置し、且つ前記反射層は前記第一反射率と異なる第二反射率を有する。前記固定フレームユニットは、少なくとも一つの固定フレーム本体及び前記固定フレーム本体から下に延びる少なくとも二つの第二係止部を有し、上述した少なくとも二つの第一係止部と上述した二つの第二係止部の組合せにより、前記固定フレームユニットに対応する前記棒状導光ユニットの位置を定めることができる。前記発光ユニットは、前記導光本体内の短い側辺又は長い側辺の脇に設置される第一発光モジュールを有する。
【図面の簡単な説明】
【０００７】
【図１Ａ】従来のＬＥＤ蛍光灯と発光強度の比較の概略図である。
【図１Ｂ】従来の発光ダイオードモジュールの側面図である。
【図１Ｃ】従来の発光ダイオードモジュールから生じた下向き投光領域の概略図である。
【図２Ａ】本考案の実施例１の正面図である。
【図２Ｂ】本考案の実施例１の側面図である。
【図２Ｃ】本考案の実施例１の立体図である。
【図２Ｄ】本考案のもう一つの実施例１の側面図である。
【図２Ｅ】本考案のさらにもう一つの実施例１の側面図である。
【図３】本考案の実施例２の平面図である（既に棒状反射ユニットを取り除いた後）。
【図４】本考案の実施例３の平面図である（既に棒状反射ユニットを取り除いた後）。
【図５】本考案の実施例４の側面図である。
【図６】本考案の実施例５の側面図である。
【図７】本考案の実施例６の側面図である。
【図８】本考案の実施例７の立体図である。
【図９Ａ】本考案の実施例８の立体図である。
【図９Ｂ】本考案のもう一つの実施例８の立体図である。
【図９Ｃ】本考案のもう一つの実施例８の立体図である。
【図１０】本考案の第一発光ダイオード照明装置の側面図である。
【図１１】本考案の第二発光ダイオード照明装置の側面図である。
【図１２】本考案の第三発光ダイオード照明装置の側面図である。
【図１３】本考案の実施例９の正面図である。
【図１４Ａ】本考案の実施例１０の正面断面図である。
【図１４Ｂ】本考案の実施例１０の部分平面図である。
【図１５】本考案の実施例１１の部分平面図である。
【図１６】本考案の実施例１２の部分平面図である。
【図１７Ａ】本考案の実施例１３の立体分解概略図である。
【図１７Ｂ】本考案の実施例１３の立体構成概略図である。
【考案を実施するための形態】
【０００８】
本考案が所定の目的を達するために採用した技術、方法及び効果を一層理解できるよう、以下に本考案に関する詳細説明と添付図面を参照することで、本考案の目的、特徴がこれによって深く具体的に理解されると信じる。然しながら、添付図面は参考と説明用に供したに過ぎず、本考案に制限を課すものではない。
【実施例】
【０００９】
図２Ａ及び図２Ｃに示すように、本考案の実施例１が提供する均一な棒状光源を生じさせることができる発光ダイオード照明モジュールは、棒状導光ユニット１ａ、棒状反射ユニット２ａ及び発光ユニット３ａを含む。
【００１０】
その内、前記棒状導光ユニット１ａは、導光本体１０ａ及び前記導光本体１０ａ頂端に形成され且つ互いに所定の微細距離を開ける複数の第一導光微細構造１１ａを有する。その内、各第一導光微細構造１１ａは第一反射率を有する。実施例１で挙げた例で言うと、前記複数の第一導光微細構造１１ａは前記導光本体１０ａの頂端から突出し、且つ異なる設計ニーズに応じて、前記複数の第一導光微細構造１１ａは、後続成形又は一体成型により前記導光本体１０ａ頂端に設置される複数の凸点状導光微細構造にすることができる。
【００１１】
又、前記棒状反射ユニット２ａは、前記導光本体１０ａに対応する反射本体２０ａ及び前記反射本体２０ａ内表面に形成される反射層２１ａを有し、その内、前記棒状反射ユニット２ａは前記導光本体１０ａの一部分を覆い（図２Ｂでは、前記棒状反射ユニット２ａは前記導光本体１０ａの上部分を覆う）、前記複数の第一導光微細構造１１ａは前記導光本体１０ａと前記反射層２１ａの間に位置し、且つ前記反射層２１ａは前記第一反射率と異なる第二反射率を有する。従って、前記複数の第一導光微細構造１１ａの第一反射率と前記反射層２１ａの第二反射率は異なる。当然、本考案はその他に、上述の第一反射率及び第二反射率とは異なるもう一つの反射率を有する一つ以上の導光微細構造を増やすこともできる。
【００１２】
その他、図２Ｂに示すように、光束は、前記棒状導光ユニット１ａの誘導と前記棒状反射ユニット２ａの反射で生じる下向き投光領域（破線によって示されるように）Ｂによって、より広い範囲に照射することができ、即ち、本考案の発光ダイオード照明モジュールは、より広い範囲の照明を提供することができるようになる。
【００１３】
その他、前記発光ユニット３ａは前記導光本体１０ａの一側端（短い側辺）に設置される第一発光モジュール３０ａを有する（例えば、前記導光本体１０は柱体であり、図２Ｂで見ると、前記導光本体１０は、二つの反対の短い側辺（前後方向）（図２Ｂはその内一つの短い側辺だけを図示する）、二つの反対の長い側辺（左右方向）及び別の二つの反対の長い側辺（上下方向）を有する）。これ以外に、前記第一発光モジュール３０ａは、第一基板３００ａと、前記第一基板３００ａの下端に設置される第一放熱素子３０１ａと、前記第一基板３００ａ上端に電気的に設置され且つ前記導光本体１０ａに向き合う少なくとも一つの第一発光素子３０２ａ（例えば、一つの或いは複数の発光ダイオードにすることができる）と、前記第一導光本体１０ａと上述の少なくとも一つの第一発光素子３０２ａの間に設置される第一レンズ３０３ａと、前記第一基板３００ａ、前記第一放熱素子３０１ａ、上述の少なくとも一つの第一発光素子３０２ａ及び前記第一レンズ３０３ａを覆うことができる第一ケース３０４ａを有し、且つ前記第一放熱素子３０１ａの一側端及び前記第一レンズ３０３ａの一側端は、それぞれ前記第一ケース３０４ａの二つの反対の開口部によって露出され、それにより投光出口及び放熱出口として使用することができるようになる。その他、前記第一レンズ３０３ａは、必要な素子ではなく、使用者の需要に応じて使用してもしなくてもよい。
【００１４】
図２Ｄに示すように、前記発光ユニット３ａは、前記導光本体１０ａの長い側辺の脇に設置される少なくとも一つの第一発光モジュール３０ａを有し、且つ前記第一発光モジュール３０ａは、第一基板３００ａ及び前記第一基板３００ａ上に電気的に設置される複数の第一発光素子３０２ａを有する。これにより、前記複数の第一発光素子３０２ａから生じる光束は、前記導光本体１０ａの長い側辺上に向かって直接投射することができるようになる。
【００１５】
図２Ｅに示すように、前記発光ユニット３ａは、前記導光本体１０ａの二つの反対の長い側辺の脇に設置される少なくとも二つの第一発光モジュール３０ａを有し、且つ各第一発光モジュール３０ａは、第一基板３００ａ及び前記第一基板３００ａ上に電気的に設置される複数の第一発光素子３０２ａを有する。これにより、上述した二つの第一発光モジュール３０ａの前記複数の第一発光素子３０２ａから生じる光束は、前記導光本体１０ａの二つの反対の長い側辺上に向かって直接投射することができるようになる。
【００１６】
図３に示すように、本考案の実施例２（棒状反射ユニットを取り除いた後）と実施例１の最大の違いは、実施例２において、前記複数の第一導光微細構造１１ｂは、後続成形又は一体成型により前記導光本体１０ｂ頂端に設置される複数の凸点状導光微細構造であり、且つ前記複数の凸点状導光微細構造の密度は、前記発光ユニット３ｂを離れる方向に向かってだんだん密になる、という点である。その他、前記複数の凸点状導光微細構造は互い違いに設置され、それにより前記棒状導光ユニット１ｂは均一な投射光を誘導することができる。しかしながら、上述の定義は本考案を限定するものではなく、例えば、前記複数の凸点状導光微細構造のサイズに関して言うと、前記複数の凸点状導光微細構造のサイズは、前記発光ユニット３ｂを離れる方向に向かってだんだん大きくすることができる。
【００１７】
図４に示すように、本考案の実施例３（棒状反射ユニットを取り除いた後）と上述の実施例の最大の違いは、実施例３において、前記複数の第一導光微細構造１１ｃは、後続成形又は一体成型により前記導光本体１０ｃ頂端に設置される複数の凸棒状導光微細構造であり（各凸棒状導光微細構造は、連続したもの或いは連続しないものにすることができる）、且つ前記複数の凸棒状導光微細構造は互いに平行である、という点である。その他、異なる設計ニーズに応じて、各凸棒状導光微細構造の幅は、前記発光ユニット３ｃを離れる方向に向かってだんだん大きくすることができ、それにより前記棒状導光ユニット１ｃは均一な投射光を誘導することができる。
【００１８】
図５に示すように、本考案の実施例４と上述の実施例の最大の違いは、実施例４において、前記導光本体１０ｄの頂端は複数の微細凸部１００ｄを有し、且つ前記複数の第一導光微細構造１１ｄはそれぞれ前記複数の微細凸部１００ｄ上に設置される、という点である。当然、各第一導光微細構造１１ｄは、各二つの微細凸部１００ｄの間に位置する凹溝或いは凹点内に充填することもできる。
【００１９】
図６に示すように、本考案の実施例５と上述の実施例の最大の違いは、実施例５において、前記棒状導光ユニット１ｅは、前記導光本体１０ｅ底端に形成される複数の第二導光微細構造１２ｅを有し、且つ前記複数の第二導光微細構造１２ｅは前記導光本体１０ｅの底端から突出する、という点である。その他、前記複数の第二導光微細構造１２ｅは複数の凸点状導光微細構造であり、且つ前記複数の凸点状導光微細構造の密度は、前記発光ユニット（図示せず）を離れる方向に向かってだんだん密になる。また、前記複数の凸点状導光微細構造は互いに交錯して設置され、それにより前記棒状導光ユニット１ｅは均一な投射光を誘導することができるようになる。しかしながら、上述の定義は本考案を限定するものではなく、例えば、前記複数の凸点状導光微細構造のサイズに関して言うと、前記複数の凸点状導光微細構造のサイズは、前記発光ユニットを離れる方向に向かってだんだん大きくすることができる。
【００２０】
図７に示すように、本考案の実施例６と実施例５の最大の違いは、実施例６において、前記棒状導光ユニット１ｆは、前記導光本体１０ｆ底端に形成される複数の第二導光微細構造１２ｆを有し、且つ前記複数の第二導光微細構造１２ｆは、前記導光本体１０ｆの底端内へ窪む、という点である。その他、前記複数の第二導光微細構造１２ｆは複数の点状導光微細凹溝であり、且つ前記複数の点状導光微細凹溝の密度は、前記発光ユニット（図示せず）を離れる方向に向かってだんだん密になる。その他、前記複数の点状導光微細凹溝は互いに交錯して設置され、それにより前記棒状導光ユニット１ｆは均一な投射光を誘導することができるようになる。しかしながら、上述の定義は本考案を限定するものではなく、例えば、前記複数の点状導光微細凹溝のサイズに関して言うと、前記複数の点状導光微細凹溝のサイズは、前記発光ユニットを離れる方向に向かってだんだん大きくすることができる。
【００２１】
図８に示すように、本考案の実施例７と実施例５の最大の違いは、実施例７において、前記棒状導光ユニット１ｇは、前記導光本体１０ｇ底端に形成される複数の第二導光微細構造１２ｇを有し、且つ前記複数の第二導光微細構造１２ｇは前記導光本体１０ｅの底端から突出する、という点である。その他、前記複数の第二導光微細構造１２ｇは複数の凸棒状導光微細構造であり、且つ前記複数の凸棒状導光微細構造は互いに平行である。その他、異なる設計ニーズに応じて、各凸棒状導光微細構造の幅は、前記発光ユニット（図示せず）を離れる方向に向かってだんだん大きくすることができる。
【００２２】
図９Ａに示すように、本考案の実施例８と実施例７の最大の違いは、実施例８において、前記棒状導光ユニット１ｈは、前記導光本体１０ｈ底端に形成される複数の第二導光微細構造１２ｈを有し、且つ前記複数の第二導光微細構造１２ｈは、前記導光本体１０ｈの底端内へ窪む、という点である。その他、前記複数の第二導光微細構造１２ｈは複数の棒状導光微細凹溝であり、且つ前記複数の棒状導光微細凹溝は互いに平行である。その他、異なる設計ニーズに応じて、各棒状導光微細凹溝の幅は、前記発光ユニット（図示せず）を離れる方向に向かってだんだん大きくすることができる。
【００２３】
図９Ｂに示すように、本考案のもう一つの実施例８と実施例７の最大の違いは、もう一つの実施例８において、前記棒状導光ユニット１ｈは、前記導光本体１０ｈ底端の中央位置に凹んで形成される第二導光微細構造１２ｈを有する、という点である。その他、前記第二導光微細構造１２ｈは、曲面を有する棒状導光微細凹溝である。
【００２４】
図９Ｃに示すように、本考案のもう一つの実施例８と実施例７の最大の違いは、もう一つの実施例８において、前記棒状導光ユニット１ｈは、前記導光本体１０ｈ底端の中央位置に凹んで形成される第二導光微細構造１２ｈを有する、という点である。その他、前記第二導光微細構造１２ｈは、錐面を有する棒状導光微細凹溝である。
【００２５】
図１０並びに図１に示すように、実施例１で挙げた発光ダイオード照明モジュールで言うと、本考案が提供する均一な棒状光源を生じさせることができる発光ダイオード照明装置は、棒状導光ユニット１ａ、棒状反射ユニット２ａ、発光ユニット３ａ及び固定フレームユニット４ａを含む。
【００２６】
その内、前記棒状導光ユニット１ａは、導光本体１０ａ及び前記導光本体１０ａ頂端に形成される複数の第一導光微細構造１１ａを有し、且つ前記導光本体１０ａの両反対の側端には少なくとも二つの第一係止部１０１ａを有し、その内、各第一導光微細構造１１ａは第一反射率を有する。前記棒状反射ユニット２ａは、前記導光本体１０ａに対応する反射本体２０ａ及び前記反射本体２０ａ内表面に形成される反射層２１ａを有し、その内、前記棒状反射ユニット２ａは前記導光本体１０ａの一部分を覆い、前記複数の第一導光微細構造１１ａは前記導光本体１０ａと前記反射層２１ａの間に位置し、且つ前記反射層２１ａは前記第一反射率と異なる第二反射率を有する。前記発光ユニット３ａは、前記導光本体１０ａの一側端に設置される第一発光モジュール３０ａを有する。
【００２７】
又、前記固定フレームユニット４ａは、少なくとも一つの固定フレーム本体４０ａ及び前記固定フレーム本体４０ａから下に伸びる少なくとも二つの第二係止部４１ａ（図１０は、その内、前記導光本体の内の一つの末端に位置する第二係止部４１ａだけを示している）を有し、上述した少なくとも二つの第一係止部１０１ａと上述した二つの第二係止部４１ａを組合せることによって、前記固定フレームユニット４ａに対応する前記棒状導光ユニット１ａの位置を定めることができる。言い換えると、図１０に示すように、各第二係止部４１ａは少なくとも二つの係止ピン４１０ａを有し、それは、それぞれ前記導光本体１０ａの二つの対向する端上に位置する二つの第一係止部１０１ａを係止し、前記固定フレームユニット４ａに対応する前記棒状導光ユニット１ａの位置を定めることができる。
【００２８】
図１１に示すように、本考案の第二発光ダイオード照明装置と第一発光ダイオード照明装置の最大の違いは、第二発光ダイオード照明装置において、少なくとも二つの第一係止部１０１ｊは二つの係止溝であり（言い換えると、前記導光本体の両脇は、それぞれ二つの内に窪んだ係止溝を有する）、少なくとも二つの第二係止部４１ｊは、上述した二つの係止溝と組み合わせる二つの係止体であり（図１１は、その内、前記導光本体の内の一つの末端に位置する第二係止部４１ｊだけを図示している）、且つ各第二係止部４１ｊは少なくとも二つの係止ピン４１０ｊを有し、それは、それぞれ前記導光本体１０ｊの二つの対向する側端上に位置する二つの第一係止部１０１ｊを係止し、前記固定フレームユニット４ｊに対応する前記棒状導光ユニット１ｊの位置を定める。
【００２９】
図１２に示すように、本考案の第三発光ダイオード照明装置と第一、二発光ダイオード照明装置の最大の違いは、第三発光ダイオード照明装置において、少なくとも二つの第一係止部１０１ｋは二つの係止体であり（言い換えると、前記導光本体の両脇はそれぞれ二つの外に突出した係止体を有する）、且つ少なくとも二つの第二係止部４１ｋは上述した二つの係止体と組み合わせた二つの係止溝である（図１２は、その内、前記導光本体的の内の一つの末端に位置する第二係止部４１ｋだけを図示している）、という点である。各第二係止部４１ｋは少なくとも二つの係止ピン４１０ｋを有し、それは、それぞれ前記導光本体１０ｋの二つの対向する側端上に位置する二つの第一係止部１０１ｋを係止し、前記固定フレームユニット４ｋに対応する前記棒状導光ユニット１ｋの位置を定める。
【００３０】
図１３に示すように、本考案の実施例９が提供する均一な棒状光源を生じさせることができる発光ダイオード照明モジュールは、棒状導光ユニット１ｍ、棒状反射ユニット２ｍ及び発光ユニット３ｍを含む。その内、前記発光ユニット３ｍは、前記棒状導光ユニット１ｍの二つの反対の側端上にそれぞれ設置される二つの第一発光モジュール３０ｍ及び第二発光モジュール３１ｍを有する。
【００３１】
その内、前記棒状導光ユニット１ｍは、導光本体１０ｍ及び前記導光本体１０ｍ頂端に形成され且つ互いに所定の微細距離を開ける複数の第一導光微細構造１１ｍを有する。前記棒状反射ユニット２ｍは、前記導光本体１０ｍに対応する反射本体２０ｍ及び前記反射本体２０ｍ内表面に形成される反射層２１ｍを有する。
【００３２】
又、前記第一発光モジュール３０ｍは、第一基板３００ｍと、前記第一基板３００ｍ下端に設置される第一放熱素子３０１ｍと、前記第一基板３００ｍ上端に電気的に設置され且つ前記導光本体１０ｍに向き合う少なくとも一つの第一発光素子３０２ｍと、前記第一導光本体１０ｍと上述少なくとも一つの第一発光素子３０２ｍの間に設置される第一レンズ３０３ｍと、前記第一基板３００ｍ、前記第一放熱素子３０１ｍ、上述の少なくとも一つの第一発光素子３０２ｍ及び前記第一レンズ３０３ｍを覆うことができる第一ケース３０４ｍを有し、且つ前記第一放熱素子３０１ｍの一側端及び前記第一レンズ３０３ｍの一側端は、それぞれ前記第一ケース３０４ｍの二つの反対の開口部によって露出される。その他、前記第一発光モジュール３０ｍは、正極ピンＰ及び負極ピンＮを有し、それにより、前記第一発光モジュール３０ｍは、いつでも抜き差しによる交換が可能な発光モジュールになる。
【００３３】
その他、前記第二発光モジュール３１ｍは、第二基板３１０ｍと、前記第二基板３１０ｍ下端に設置される第二放熱素子３１１ｍと、前記第二基板３１０ｍ上端に電気的に設置され且つ前記導光本体１０ｍに向き合う少なくとも一つの第二発光素子３１２ｍと、前記第二導光本体１０ｍと上述少なくとも一つの第二発光素子３１２ｍの間に設置される第二レンズ３１３ｍと、前記第二基板３１０ｍ、前記第二放熱素子３１１ｍ、上述少なくとも一つの第二発光素子３１２ｍ及び前記第二レンズ３１３ｍを覆うことができる第二ケース３１４ｍを有し、且つ前記第二放熱素子３１１ｍの一側端及び前記第二レンズ３１３ｍの一側端は、それぞれ前記第二ケース３１４ｍの二つの反対の開口部によって露出される。その他、前記第二発光モジュール３１ｍは正極ピンＰ及び負極ピンＮを有し、それにより前記第二発光モジュール３１ｍは、いつでも抜き差しによる交換が可能な発光モジュールになる。
【００３４】
図１４Ａ及び図１４Ｂに示すように、本考案の実施例１０が提供する均一な棒状光源を生じさせることができる発光ダイオード照明モジュールは、二つの棒状導光ユニット１ｎ、二つの棒状反射ユニット２ｎ、発光ユニット３ｎ及び固定ユニット５ｎを含み、前記固定ユニット５ｎは、二つの棒状導光ユニット１ｎ又は二つの棒状反射ユニット２ｎを固定させることができる。前記発光ユニット３ｎは、二つの棒状導光ユニット１ｎの二つの反対の側端上に設置する第一発光モジュール３０ｎを有する。
【００３５】
各棒状導光ユニット１ｎは、導光本体１０ｎ及び前記導光本体１０ｎ頂端に形成され且つ互いに所定の微細距離を開ける複数の第一導光微細構造１１ｎを有する。二つの導光本体１０ｎは、発光ユニット３ｎ上方に背中合わせにして設置される。各棒状反射ユニット２ｎは、導光本体１０ｎに対応する反射本体２０ｎ及び反射本体２０ｎ内表面に形成される反射層２１ｎを有する。
【００３６】
第一発光モジュール３０ｎは、第一ケース３０４ｎ、第一ケース３０４ｎ内に設置され且つ二つの導光本体１０ｎにそれぞれ向き合う少なくとも二つの第一発光素子３０２ｎ、第一ケース３０４ｎから下に延びる第一放熱素子３０１ｎ、第一ケース３０４ｎ底端に設置される外部ねじ山３０５ｎ、及び第一ケース３０４ｎ内に設置されるＬＥＤ駆動器３０６ｎを有する。
【００３７】
図１５に示すように、本考案の実施例１１が提供する均一な棒状光源を生じさせることができる発光ダイオード照明モジュールは、三つの棒状導光ユニット１ｐ、三つの棒状反射ユニット２ｐ及び発光ユニット（図示せず）を含む。前記発光ユニットは、三つの棒状導光ユニット１ｐの三つの同じ側端上に設置される。各棒状導光ユニット１ｐは、導光本体１０ｐ及び前記導光本体１０ｐ頂端に形成され且つ互いに所定の微細距離を開ける複数の第一導光微細構造１１ｐを有する。三つの導光本体１０ｐは、発光ユニット上方に背中合わせにして設置される。各棒状反射ユニット２ｐは、導光本体１０ｐに対応する反射本体２０ｐ及び反射本体２０ｐ内表面に形成される反射層２１ｐを有する。
【００３８】
図１６に示すように、本考案の実施例１２が提供する均一な棒状光源を生じさせることができる発光ダイオード照明モジュールは、四つの棒状導光ユニット１ｒ、四つの棒状反射ユニット２ｒ及び発光ユニット（図示せず）を含む。前記発光ユニットは、四つの棒状導光ユニット１ｒの四つの同じ側端上に設置される。各棒状導光ユニット１ｒは、導光本体１０ｒ及び前記導光本体１０ｒ頂端に形成され且つ互いに所定の微細距離を開ける複数の第一導光微細構造１１ｒを有する。四つの導光本体１０ｒは、発光ユニット上方に背中合わせに設置される。各棒状反射ユニット２ｒは、導光本体１０ｒに対応する反射本体２０ｒ及び反射本体２０ｒ内表面に形成される反射層２１ｒを有する。
【００３９】
図１７Ａと図１７Ｂは本考案の実施例１３に係る均一な棒状光源を生じさせることができる発光ダイオード照明モジュールを示す。前記モジュールは３本の棒状導光ユニット１ｓ、３本の棒状反射ユニット２ｓ、発光ユニット（図示せず）、ケースユニット５ｓと放熱ユニット６ｓを備え、且つ３本の棒状導光ユニット１ｓは共に前記ケースユニット５ｓに収納される。
【００４０】
これにより、一つ以上の棒状導光ユニット及び一つ以上の棒状反射ユニットを組み合わせ、更に併せて発光ユニットを使用することにより、本考案の発光ダイオード照明モジュールは、発光ダイオード電球として使用することができる。上述したことをまとめると、本考案は異なる反射率を有する導光材料（棒状導光ユニット）及び反射材料（棒状反射ユニット）を使用することにより発光ダイオードから生じる光束を誘導し反射させ、それにより均一な棒状光源を取得することができ、しかもこの均一な棒状光源は使用者の目に不快感を与えるようなまぶしさがない。
【００４１】
本考案の全ての範囲は下記の実用新案登録請求の範囲を基準とし、本考案の登録請求の範囲の主旨やそれに類似した変化に伴う実施例は、何れも本考案の範疇に含まれるものとし、当業者が本考案の分野において容易に思い付く変化や修飾は何れも下記の本考案の実用新案登録請求の範囲に含まれることとする。
【符号の説明】
【００４２】
［従来］
１      回路基板        
２      発光ダイオード      
３      導光棒          
４      発光ダイオード      
Ｌ      光束            
Ａ      下向き投光領域    
［本考案］
（実施例１）
１ａ        棒状導光ユニット        
１０ａ  導光本体        
１０１ａ    第一係止部      
１１ａ  第一導光微細構造  
２ａ        棒状反射ユニット      
２０ａ  反射本体        
２１ａ  反射層          
３ａ        発光ユニット            
３０ａ  第一発光モジュール    
３００ａ    第一基板        
３０１ａ    第一放熱素子    
３０２ａ    第一発光素子    
３０３ａ    第一レンズ        
３０４ａ    第一ケース        
４ａ        固定フレームユニット          
４０ａ  固定フレーム本体      
４１ａ  第二係止部      
４１０ａ係止ピン          
Ｂ      下向き投光領域    
（実施例２）
１ｂ        棒状導光ユニット    
１０ｂ  導光本体        
１１ｂ  第一導光微細構造  
３ｂ        第一発光モジュール    
（実施例３）
１ｃ        棒状導光ユニット    
１０ｃ  導光本体        
１１ｃ  第一導光微細構造  
３ｃ        第一発光モジュール    
（実施例４）
１０ｄ  導光本体        
１００ｄ    微細凸部          
１１ｄ  第一導光微細構造  
（実施例５）
１ｅ        棒状導光ユニット    
１０ｅ  導光本体        
１２ｅ  二導光微細構造  
（実施例６）
１ｆ        棒状導光ユニット    
１０ｆ  導光本体        
１２ｆ  第二導光微細構造  
（実施例７）
１ｇ        棒状導光ユニット    
１０ｇ  導光本体        
１２ｇ  第二導光微細構造  
（実施例８）
１ｈ        棒状導光ユニット    
１０ｈ  導光本体        
１２ｈ  第二導光微細構造  
（実施例９）
１ｍ        棒状導光ユニット        
１０ｍ  導光本体        
１１ｍ  第一導光微細構造  
２ｍ        棒状反射ユニット        
２０ｍ  反射本体        
２１ｍ  反射層          
３ｍ        発光ユニット            
３０ｍ  第一発光モジュール    
３００ｍ    第一基板        
３０１ｍ    第一放熱素子    
３０２ｍ    第一発光素子    
３０３ｍ    第一レンズ        
３０４ｍ    第一ケース        
３１ｍ  第二発光モジュール    
３１０ｍ第二基板        
３１１ｍ    第二放熱素子    
３１２ｍ    第二発光素子    
３１３ｍ    第二レンズ        
３１４ｍ    第二ケース        
Ｐ      正極ピン        
Ｎ      負極ピン        
（第二照明装置）
１ｊ        棒状導光ユニット        
１０ｊ  導光本体        
１０１ｊ    第一係止部      
４ｊ        固定フレームユニット          
４１ｊ  第二係止部      
４１０ｊ    係止ピン          
（第三照明装置）
１ｋ        棒状導光ユニット        
１０ｋ  導光本体        
１０１ｋ    第一係止部      
４ｋ        固定フレームユニット          
４１ｋ  第二係止部      
４１０ｋ    係止ピン          
【図１Ａ】
0003161024.tif 000003
【図１Ｂ】
0003161024.tif 000004
【図１Ｃ】
0003161024.tif 000005
【図２Ａ】
0003161024.tif 000006
【図２Ｂ】
0003161024.tif 000007
【図２Ｃ】
0003161024.tif 000008
【図２Ｄ】
0003161024.tif 000009
【図２Ｅ】
0003161024.tif 000010
【図３】
0003161024.tif 000011
【図４】
0003161024.tif 000012
【図５】
0003161024.tif 000013
【図６】
0003161024.tif 000014
【図７】
0003161024.tif 000015
【図８】
0003161024.tif 000016
【図９Ａ】
0003161024.tif 000017
【図９Ｂ】
0003161024.tif 000018
【図９Ｃ】
0003161024.tif 000019
【図１０】
0003161024.tif 000020
【図１１】
0003161024.tif 000021
【図１２】
0003161024.tif 000022
【図１３】
0003161024.tif 000023
【図１４Ａ】
0003161024.tif 000024
【図１４Ｂ】
0003161024.tif 000025
【図１５】
0003161024.tif 000026
【図１６】
0003161024.tif 000027
【図１７Ａ】
0003161024.tif 000028
【図１７Ｂ】
0003161024.tif 000029